(57)【要約】【課題】復電後に録画を再開する。【解決手段】ＨＤＤレコーダのＣＰＵ１１は、リモコン３を介してユーザからの操作入力を受け付けて、受け付けられた操作入力に基づいて、録画チャンネル、録画開始日時及び録画終了日時を設定し、録画対象記憶部１２２に格納する録画番組設定部１１３と、該ＨＤＤレコーダに供給される電力が遮断状態から復電したか否かを検出する復電検出部１１６と、復電したと検出された場合に、検出されたタイミングが、録画開始日時以降であって、且つ、録画終了日時以前であるとの録画日時条件を満たすか否かを判定する録画要否判定部１１７と、録画日時条件を満たすと判定された場合に、受信部１５に対して録画チャンネル情報に対応するチャンネルのテレビジョン放送を受信させ、受信された番組情報を番組情報記憶部１９１に格納する録画実行部１１５と、を備えている。【選択図】図２
2008311753.tif 000002
【特許請求の範囲】
【請求項１】
テレビジョン放送を受信し、受信した番組情報を格納する放送記録装置であって、
予め設定されたチャンネルのテレビジョン放送を受信する受信手段と、
前記受信手段によって受信されたチャンネルの番組情報を格納する番組情報記憶手段と、
外部からの操作入力を受け付けて、受け付けられた操作入力に基づいて、録画する対象の番組のチャンネルを示す録画チャンネル、録画する対象の番組の放送が開始される日時を示す録画開始日時、及び、録画する対象の番組の放送が終了される日時を示す録画終了日時を設定する録画番組設定手段と、
前記録画番組設定手段によって設定された録画チャンネル情報、録画開始日時情報及び録画終了日時情報を格納する録画対象記憶手段と、
前記録画開始日時に到達したか否かを判定する録画開始判定手段と、
前記録画開始判定手段によって録画開始日時に到達したと判定された場合に、前記受信手段に対して前記録画対象記憶手段に格納された録画チャンネル情報に対応するチャンネルのテレビジョン放送を受信させ、受信された番組情報を前記番組情報記憶手段に格納する録画実行手段と、
該放送記録装置に供給される電力が遮断状態から復電したか否かを検出する復電検出手段と、
前記復電検出手段によって復電したと検出された場合に、検出されたタイミングが、前記録画対象記憶手段に格納された録画開始日時以降であって、且つ、前記録画対象記憶手段に格納された録画終了日時以前であるとの録画日時条件を満たすか否かを判定する録画要否判定手段と、
を備え、
前記録画実行手段は、前記録画要否判定手段によって録画日時条件を満たすと判定された場合に、前記受信手段に対して前記録画対象記憶手段に格納された録画チャンネル情報に対応するチャンネルのテレビジョン放送を受信させ、受信された番組情報を前記番組情報記憶手段に格納することを特徴とする放送記録装置。
【請求項２】
外部からの操作入力を受け付けて、受け付けられた操作入力に基づいて、前記録画要否判定手段によって録画日時条件を満たすと判定された場合に録画を実行するか否かの設定を行う録画再開設定手段と、
前記録画再開設定手段によって録画を実行しないと設定された場合に、前記録画実行手段に対して録画処理の実行を禁止する録画禁止手段と、
を備えることを特徴とする請求項１に記載の放送記録装置。
【請求項３】
外部からの録画を開始する旨の操作入力である録画開始指示操作を受け付ける録画指示受付手段を備え、
前記録画番組設定手段は、前記録画指示受付手段によって録画開始指示操作が受け付けられた場合に、受け付けられたタイミングに対応する日時を録画開始日時として設定し、前記受信手段を介して受信しているチャンネルを録画チャンネルとして設定し、録画開始日時から予め設定された所定時間経過後の日時を録画終了日時として設定することを特徴とする請求項１又は請求項２に記載の放送記録装置。
【請求項４】
前記テレビジョン放送はデジタル放送であって、
前記受信手段を介してＥＰＧ（Ｅｌｅｃｔｒｏｎｉｃ  Ｐｒｏｇｒａｍ  Ｇｕｉｄｅ）情報を取得する番組表取得手段を備え、
前記録画番組設定手段は、前記番組表取得手段によって取得されたＥＰＧ情報を介して、録画チャンネル、録画開始日時及び録画終了日時を設定することを特徴とする請求項１〜請求項３のいずれかに記載の放送記録装置。
【発明の詳細な説明】
【技術分野】
【０００１】
本発明は、テレビジョン放送を受信し、受信した番組情報を格納する放送記録装置に関する。
【背景技術】
【０００２】
従来、ＨＤＤ（Ｈａｒｄ  Ｄｉｓｋ  Ｄｒｉｖｅ）、ＤＶＤ（Ｄｉｇｉｔａｌ  Ｖｅｒｓａｔｉｌｅ  Ｄｉｓｋ）等の記録媒体に、テレビジョン放送を介して受信した番組情報を格納する（＝録画する）放送記録装置が普及している。上記放送記録装置において、録画動作中に停電等により電力の供給が遮断された場合には、録画処理が正常に行われないという課題があった。
【０００３】
この課題を解消するべく、例えば、停電等の電源供給断後のデータ復旧処理に使用する復旧データを、録画中にディスクに書き込むことにより、再び電源供給が行われた際には、復旧データを基にして管理情報を作成し、ＡＶデータと管理情報の矛盾を修正するデジタル記録装置が提案されている（特許文献１参照）。
【特許文献１】特開２００４−１７８７８８号公報
【発明の開示】
【発明が解決しようとする課題】
【０００４】
しかしながら、上記デジタル記録装置等の従来の放送記録装置においては、電力が遮断状態から復電した場合に、復電後の録画は再開されないため、停電等の電力が遮断された時点以降の録画処理が行われないので、ユーザが録画を所望する番組を録画することができないという課題があった。すなわち、例えば、録画開始直後に瞬停（極めて短い時間の停電）が発生した場合には、復電後に録画を再開することができれば、ユーザが録画を所望する番組の大半を録画することが可能であるにも拘わらず、従来の放送記録装置においては、ユーザが録画を所望する番組の大半を録画することができないのである。
【０００５】
本発明は、上記課題に鑑みてなされたものであって、復電後に録画を再開することの可能な放送記録装置を提供することを目的としている。
【課題を解決するための手段】
【０００６】
上記目的を達成するために請求項１に記載の放送記録装置は、テレビジョン放送を受信し、受信した番組情報を格納する放送記録装置であって、予め設定されたチャンネルのテレビジョン放送を受信する受信手段と、前記受信手段によって受信されたチャンネルの番組情報を格納する番組情報記憶手段と、外部からの操作入力を受け付けて、受け付けられた操作入力に基づいて、録画する対象の番組のチャンネルを示す録画チャンネル、録画する対象の番組の放送が開始される日時を示す録画開始日時、及び、録画する対象の番組の放送が終了される日時を示す録画終了日時を設定する録画番組設定手段と、前記録画番組設定手段によって設定された録画チャンネル情報、録画開始日時情報及び録画終了日時情報を格納する録画対象記憶手段と、前記録画開始日時に到達したか否かを判定する録画開始判定手段と、前記録画開始判定手段によって録画開始日時に到達したと判定された場合に、前記受信手段に対して前記録画対象記憶手段に格納された録画チャンネル情報に対応するチャンネルのテレビジョン放送を受信させ、受信された番組情報を前記番組情報記憶手段に格納する録画実行手段と、該放送記録装置に供給される電力が遮断状態から復電したか否かを検出する復電検出手段と、前記復電検出手段によって復電したと検出された場合に、検出されたタイミングが、前記録画対象記憶手段に格納された録画開始日時以降であって、且つ、前記録画対象記憶手段に格納された録画終了日時以前であるとの録画日時条件を満たすか否かを判定する録画要否判定手段と、を備え、前記録画実行手段が、前記録画要否判定手段によって録画日時条件を満たすと判定された場合に、前記受信手段に対して前記録画対象記憶手段に格納された録画チャンネル情報に対応するチャンネルのテレビジョン放送を受信させ、受信された番組情報を前記番組情報記憶手段に格納することを特徴としている。
【０００７】
請求項２に記載の放送記録装置は、請求項１に記載の放送記録装置であって、外部からの操作入力を受け付けて、受け付けられた操作入力に基づいて、前記録画要否判定手段によって録画日時条件を満たすと判定された場合に録画を実行するか否かの設定を行う録画再開設定手段と、前記録画再開設定手段によって録画を実行しないと設定された場合に、前記録画実行手段に対して録画処理の実行を禁止する録画禁止手段と、を備えることを特徴としている。
【０００８】
請求項３に記載の放送記録装置は、請求項１又は請求項２に記載の放送記録装置であって、外部からの録画を開始する旨の操作入力である録画開始指示操作を受け付ける録画指示受付手段を備え、前記録画番組設定手段が、前記録画指示受付手段によって録画開始指示操作が受け付けられた場合に、受け付けられたタイミングに対応する日時を録画開始日時として設定し、前記受信手段を介して受信しているチャンネルを録画チャンネルとして設定し、録画開始日時から予め設定された所定時間経過後の日時を録画終了日時として設定することを特徴としている。
【０００９】
請求項４に記載の放送記録装置は、請求項１〜請求項３のいずれかに記載の放送記録装置であって、前記テレビジョン放送がデジタル放送であって、前記受信手段を介してＥＰＧ（Ｅｌｅｃｔｒｏｎｉｃ  Ｐｒｏｇｒａｍ  Ｇｕｉｄｅ）情報を取得する番組表取得手段を備え、前記録画番組設定手段が、前記番組表取得手段によって取得されたＥＰＧ情報を介して、録画チャンネル、録画開始日時及び録画終了日時を設定することを特徴としている。
【発明の効果】
【００１０】
請求項１に記載の放送記録装置によれば、受信手段によって、予め設定されたチャンネルのテレビジョン放送が受信され、受信されたチャンネルの番組情報が番組情報記憶手段に格納される。そして、外部からの操作入力を受け付けられて、受け付けられた操作入力に基づいて、録画する対象の番組のチャンネルを示す録画チャンネル、録画する対象の番組の放送が開始される日時を示す録画開始日時、及び、録画する対象の番組の放送が終了される日時を示す録画終了日時が設定され、設定された録画チャンネル情報、録画開始日時情報及び録画終了日時情報が録画対象記憶手段に格納される。また、録画開始日時に到達したか否かが判定され、録画開始日時に到達したと判定された場合に、受信手段を介して録画対象記憶手段に格納された録画チャンネル情報に対応するチャンネルのテレビジョン放送が受信され、受信された番組情報が番組情報記憶手段に格納される。更に、この放送記録装置に供給される電力が遮断状態から復電したか否かが検出され、復電したと検出された場合に、検出されたタイミングが、録画対象記憶手段に格納された録画開始日時以降であって、且つ、録画対象記憶手段に格納された録画終了日時以前であるとの録画日時条件を満たすか否かが判定され、録画日時条件を満たすと判定された場合に、受信手段を介して録画対象記憶手段に格納された録画チャンネル情報に対応するチャンネルのテレビジョン放送が受信され、受信された番組情報が番組情報記憶手段に格納されるため、復電後に録画を再開することができる。
【００１１】
すなわち、電力が遮断状態から復電したと検出されたタイミングが、録画対象記憶手段に格納された録画開始日時以降であって、且つ、録画対象記憶手段に格納された録画終了日時以前であるとの録画日時条件を満たすと判定された場合に、受信手段を介して録画対象記憶手段に格納された録画チャンネル情報に対応するチャンネルのテレビジョン放送が受信され、受信された番組情報が番組情報記憶手段に格納されるため、復電したタイミングが、録画対象番組の放送期間内である場合に電力の遮断によって中断されていた番組の録画が再開されるので、復電後に録画を再開することができるのである。
【００１２】
請求項２に記載の放送記録装置によれば、外部からの操作入力が受け付けられて、受け付けられた操作入力に基づいて、録画日時条件を満たすと判定された場合に録画を実行するか否かの設定が行われ、録画を実行しないと設定された場合に、録画処理の実行が禁止されるため、利便性良好に復電後に録画を再開することができる。
【００１３】
すなわち、外部からの操作入力が受け付けられて、受け付けられた操作入力に基づいて、録画日時条件を満たすと判定された場合に録画を実行するか否かの設定が行われ、録画を実行しないと設定された場合に、録画処理の実行が禁止されるため、ユーザが復電後の録画の再開を所望する場合に限って復電後の録画を再開させることができるので、利便性良好に復電後に録画を再開することができるのである。
【００１４】
請求項３に記載の放送記録装置によれば、外部からの録画を開始する旨の操作入力である録画開始指示操作が受け付けられ、録画開始指示操作が受け付けられた場合に、受け付けられたタイミングに対応する日時が録画開始日時として設定され、受信手段を介して受信しているチャンネルが録画チャンネルとして設定され、録画開始日時から予め設定された所定時間経過後の日時が録画終了日時として設定されるため、録画開始日時、録画チャンネル及び録画終了日時を利便性良好に設定することができる。
【００１５】
請求項４に記載の放送記録装置によれば、テレビジョン放送がデジタル放送であって、受信手段を介してＥＰＧ情報が取得され、取得されたＥＰＧ情報を介して、録画チャンネル、録画開始日時及び録画終了日時が設定されるため、録画チャンネル、録画開始日時及び録画終了日時を利便性良好に設定することができる。
【発明を実施するための最良の形態】
【００１６】
以下に本発明の実施形態を、図面を参照しながら説明する。図１は、本発明に係るＨＤＤレコーダの構成の一例を示すブロック図である。ＨＤＤレコーダ１（放送記録装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００１７】
ＨＤＤレコーダ１は、リモコン３を介してユーザからの操作入力を受け付けて、受け付けた操作入力に基づいて、テレビジョン放送を受信し、受信した番組情報を格納するものである。また、ＨＤＤレコーダ１は、格納された番組情報を読み出して再生し、出力装置２に対して映像及び音声を出力するものである。
【００１８】
出力装置２は、ディスプレイ２１及びスピーカ２２を備え、ＨＤＤレコーダ１から入力された音声情報及び映像情報を出力するものである。ディスプレイ２１は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、ＨＤＤレコーダ１から入力された映像情報を外部から視認可能に表示するものである。スピーカ２２は、ＨＤＤレコーダ１から入力された音声情報を出力するものである。
【００１９】
リモコン３（録画指示受付手段の一部、録画番組設定手段の一部、及び、録画再開設定手段の一部に相当する）は、ユーザからの操作入力を受け付けて、受け付けられた操作入力に対応する赤外線信号を生成して、ＨＤＤレコーダ１に対して出力するものである。
【００２０】
また、ＨＤＤレコーダ１は、ＭＰＵ１１、ＲＡＭ１２、ＲＯＭ１３、操作部１４、受信部１５、音声出力部１６、ＭＰＥＧ２デコード部１７、画像出力部１８、及び、ＨＤＤ１９を備えている。
【００２１】
ＭＰＵ（Ｍｉｃｒｏ  Ｐｒｏｃｅｓｓｉｎｇ  Ｕｎｉｔ）１１は、ＨＤＤレコーダ１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１を動作させる制御プログラム等を格納するものである。
【００２２】
操作部１４は、電源のＯＮ、ＯＦＦ操作、選局等の各種操作を受け付けるものである。また、操作部１４は、赤外線通信を介して、リモコン３からの操作信号を受け付けて、各種操作を受け付けるものである。受信部１５（受信手段に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２３】
アンテナ部１５１は、テレビジョン放送波を受信するものである。チューナ部１５２は、アンテナ部１５１で受信されたテレビジョン放送波から、リモコン３を介して予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００２４】
音声出力部１６は、受信部１５によって受信されたテレビジョン放送に対応する音声信号、又は、ＨＤＤ１９から読み出された音声情報に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）、又は、ＨＤＤ１９から読み出された音声情報をアナログ信号に変換するものである。音声信号出力部１６２は、Ｄ／Ａ変換部１６１によってアナログ信号に変換された音声信号をスピーカ２２に対して出力するものである。
【００２５】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００２６】
画像出力部１８は、ＭＰＥＧ２デコード部１７によって復号化された映像情報に対応する映像信号、又は、ＨＤＤ１９から読み出された映像情報に対応する映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報、又は、ＨＤＤ１９から読み出された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００２７】
ＨＤＤ（Ｈａｒｄ  Ｄｉｓｋ  Ｄｒｉｖｅ）１９は、ＭＰＵ１からの指示に従って映像情報、音声情報等の種々の情報を格納すると共に、ＭＰＵ１からの指示に従って格納された映像情報、音声情報等の種々の情報を出力するものである。
【００２８】
次に、ＨＤＤレコーダ１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００２９】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００３０】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００３１】
図２は、本発明に係るＨＤＤレコーダ１における主要部の構成の一例を示すブロック図である。ＭＰＵ１１は、機能的に、録画指示受付部１１１、番組表取得部１１２、録画番組設定部１１３、録画開始判定部１１４、録画実行部１１５、復電検出部１１６、録画要否判定部１１７、録画再開設定部１１８、及び、録画禁止部１１９を備え、ＲＡＭ１２は、機能的に、番組表記憶部１２１、及び、録画対象記憶部１２２を備え、ＨＤＤ１９は、機能的に、番組情報記憶部１９１を備えている。
【００３２】
ここでは、ＭＰＵ１１が、図１に示すＲＯＭ１３等に予め格納された制御プログラムを読み出して実行することにより、録画指示受付部１１１、番組表取得部１１２、録画番組設定部１１３、録画開始判定部１１４、録画実行部１１５、復電検出部１１６、録画要否判定部１１７、録画再開設定部１１８、録画禁止部１１９等の機能部として機能すると共に、ＲＡＭ１２を、番組表記憶部１２１、録画対象記憶部１２２等の機能部として機能させ、ＨＤＤ１９を、番組情報記憶部１９１等の機能部として機能させるものである。
【００３３】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００３４】
番組表記憶部１２１は、番組表取得部１１２によって取得されたＥＰＧ（Ｅｌｅｃｔｒｏｎｉｃ  Ｐｒｏｇｒａｍ  Ｇｕｉｄｅ）情報を格納するものである。また、番組表記憶部１２１に格納されたＥＰＧ情報は、録画番組設定部１１３によって読み出されるものである。
【００３５】
録画対象記憶部１２２（録画対象記憶手段に相当する）は、録画番組設定部１１３によって設定された、録画する対象の番組のチャンネルを示す録画チャンネル情報、録画する対象の番組の放送が開始される日時を示す録画開始日時情報、及び、録画する対象の番組の放送が終了される日時を示す録画終了日時情報を格納するものである。また、録画対象記憶部１２２に格納された録画チャンネル情報、録画開始日時情報及び録画終了日時情報は、録画開始判定部１１４、録画実行部１１５及び録画要否判定部１１７によって読み出されるものである。
【００３６】
番組情報記憶部１９１（番組情報記憶手段に相当する）は、録画実行部１１５によって、受信部１５を介して受信されたチャンネル（＝録画対象記憶部１２２に格納された録画チャンネル情報に対応するチャンネル）の番組情報を格納するものである。
【００３７】
録画指示受付部１１１（録画指示受付手段の一部に相当する）は、リモコン３を介してユーザからの録画を開始する旨の操作入力である録画開始指示操作を受け付けるものである。録画指示受付部１１１は、例えば、リモコン３に配設されたＲＥＣキーが押下されたことを検出した場合に、録画開始指示操作を受け付けるものである。
【００３８】
番組表取得部１１２（番組表取得手段に相当する）は、受信部１５を介してＥＰＧ（Ｅｌｅｃｔｒｏｎｉｃ  Ｐｒｏｇｒａｍ  Ｇｕｉｄｅ）情報を取得すると共に、取得されたＥＰＧ情報を番組表記憶部１２１に格納するものである。
【００３９】
録画番組設定部１１３（録画番組設定手段の一部に相当する）は、リモコン３を介してユーザからの操作入力を受け付けて、受け付けられた操作入力に基づいて、録画する対象の番組のチャンネルを示す録画チャンネル、録画する対象の番組の放送が開始される日時を示す録画開始日時、及び、録画する対象の番組の放送が終了される日時を示す録画終了日時を設定するものである。
【００４０】
具体的には、録画番組設定部１１３は、録画指示受付部１１１によって録画開始指示操作（ここでは、リモコン３に配設されたＲＥＣキーの押下）が受け付けられた場合に、受け付けられたタイミングに対応する日時を録画開始日時として設定し、受信部１５を介して受信しているチャンネルを録画チャンネルとして設定し、録画開始日時から予め設定された所定時間（例えば、３０分、６０分、９０分・・・）経過後の日時を録画終了日時として設定するものである（いわゆる、「通常録画」に相当する）。
【００４１】
なお、録画番組設定部１１３は、上記の所定時間（＝録画対象の番組の長さに対応する時間）を、例えば、リモコン３に配設されたＲＥＣキーが押下される回数に基づいて設定するものである。すなわち、ＲＥＣキーが１回押下された場合には、上記の所定時間を３０分に設定し、ＲＥＣキーが２回押下された場合には、上記の所定時間を６０分に設定し、同様にして、ＲＥＣキーがＮ回押下された場合には、上記の所定時間を（３０×Ｎ）分に設定するものである。
【００４２】
また、録画番組設定部１１３は、番組表取得部１１２によって取得され、番組表記憶部１２１に格納されたＥＰＧ情報を介して、録画チャンネル、録画開始日時及び録画終了日時を設定するものである（いわゆる、「予約録画」に相当する）。
【００４３】
録画開始判定部１１４（録画開始判定手段に相当する）は、録画対象記憶部１２２に格納された録画開始日時に到達したか否かを判定するものである。
【００４４】
録画実行部１１５（録画実行手段に相当する）は、録画開始判定部１１４によって録画開始日時に到達したと判定された場合に、受信部１５に対して録画対象記憶部１２２に格納された録画チャンネル情報に対応するチャンネルのテレビジョン放送を受信させ、受信された番組情報を番組情報記憶部１９１に格納するものである。
【００４５】
また、録画実行部１１５は、録画要否判定部１１７によって録画日時条件を満たすと判定された場合に、受信部１５に対して録画対象記憶部１２２に格納された録画チャンネル情報に対応するチャンネルのテレビジョン放送を受信させ、受信された番組情報を番組情報記憶部１９１に格納するものである。
【００４６】
なお、録画実行部１１５は、録画禁止部１１９によって録画処理の実行が禁止されている場合には、その指示に従って、録画処理の実行を行わないものである。ここで、録画処理とは、「受信部１５に対して録画対象記憶部１２２に格納された録画チャンネル情報に対応するチャンネルのテレビジョン放送を受信させ、受信された番組情報を番組情報記憶部１９１に格納する処理」である。
【００４７】
更に、録画実行部１１５は、録画対象記憶部１２２に格納された録画終了日時に到達したか否かを判定し、録画終了日時に到達したと判定された場合に、録画処理を終了するものである。
【００４８】
復電検出部１１６（復電検出手段に相当する）は、ＨＤＤレコーダ１に供給される電力が遮断状態から復電したか否か（＝電力が遮断状態から供給状態に変化したか否か）を検出するものである。
【００４９】
録画要否判定部１１７（録画要否判定手段に相当する）は、復電検出部１１６によって復電したと検出された場合に、検出されたタイミングが、録画対象記憶部１２２に格納された録画開始日時以降であって、且つ、録画対象記憶部１２２に格納された録画終了日時以前であるとの録画日時条件を満たすか否か（＝録画対象番組の放送期間内であるか否か）を判定するものである。
【００５０】
録画再開設定部１１８（録画再開設定手段の一部に相当する）は、リモコン３を介してユーザからの操作入力を受け付けて、受け付けられた操作入力に基づいて、録画要否判定部１１７によって録画日時条件を満たすと判定された場合に録画を実行するか否かの設定を行うものである。
【００５１】
具体的には、録画再開設定部１１８は、例えば、リモコン３に配設されたメニューキーが押下された場合に、録画日時条件を満たすと判定された場合に録画を実行するか否かの設定を行う設定画面を図１に示すディスプレイ２１に表示し、表示された設定画面を介して、録画日時条件を満たすと判定された場合に録画を実行するか否かの設定を行うものである。
【００５２】
録画禁止部１１９（録画禁止手段に相当する）は、録画再開設定部１１８によって、録画日時条件を満たすと判定された場合に録画を実行しないと設定された場合に、録画実行手段に対して録画処理の実行を禁止するものである。
【００５３】
図３は、ＨＤＤレコーダ１（主にＭＰＵ１１）の動作の一例を示すフローチャートである。なお、ここでは、便宜上、予め録画番組設定部１１３によって録画対象記憶部１２２に、録画する対象の番組のチャンネルを示す録画チャンネル情報、録画する対象の番組の放送が開始される日時を示す録画開始日時情報、及び、録画する対象の番組の放送が終了される日時を示す録画終了日時情報が格納されている場合について説明する。また、録画再開設定部１１８によって、録画日時条件を満たすと判定された場合に録画を実行するか否かの設定が予め行われている場合について説明する。
【００５４】
まず、復電検出部１１６によって復電したか否かの判定が行われる（Ｓ１０１）。復電していないと判定された場合（Ｓ１０１でＮＯ）には、処理が待機状態とされる。復電したと判定された場合（Ｓ１０１でＹＥＳ）には、録画禁止部１１９によって、録画再開設定部１１８により録画日時条件を満たすと判定された場合に録画を実行すると設定されているか否かの判定が行われる（Ｓ１０３）。
【００５５】
録画を実行しない（＝録画を再開しない）と設定されていると判定された場合（Ｓ１０３でＮＯ）には、処理がステップＳ１０１に戻され、ステップＳ１０１以降の処理が繰り返し実行される。録画を実行する（＝録画を再開する）と設定されていると判定された場合（Ｓ１０３でＹＥＳ）には、録画要否判定部１１７によって、ステップＳ１０１において、復電したと検出されたタイミングが、録画日時条件を満たすか否かの判定が行われる（Ｓ１０５）。
【００５６】
録画日時条件を満たさないと判定された場合（Ｓ１０５でＮＯ）には、処理がステップＳ１０１に戻され、ステップＳ１０１以降の処理が繰り返し実行される。録画日時条件を満たすと判定された場合（Ｓ１０５でＹＥＳ）には、録画実行部１１５によって、受信部１５を介して録画対象記憶部１２２に格納された録画チャンネル情報に対応するチャンネルのテレビジョン放送が受信される（Ｓ１０７）。
【００５７】
そして、録画実行部１１５によって、受信部１５を介して受信された番組情報が番組情報記憶部１９１に格納される（Ｓ１０９）。次いで、録画実行部１１５によって、録画対象記憶部１２２に格納された録画終了日時に到達したか否かの判定が行われる（Ｓ１１１）。録画終了日時に到達していないと判定された場合（Ｓ１１１でＮＯ）には、処理がステップＳ１０９に戻され、ステップＳ１０９以降の処理が繰り返し実行される。録画終了日時に到達したと判定された場合（Ｓ１１１でＹＥＳ）には、処理が終了される。
【００５８】
このようにして、受信部１５によって、予め設定されたチャンネルのテレビジョン放送が受信され、受信されたチャンネルの番組情報が番組情報記憶部１９１に格納される。そして、リモコン３を介してユーザからの操作入力を受け付けられて、受け付けられた操作入力に基づいて、録画する対象の番組のチャンネルを示す録画チャンネル、録画する対象の番組の放送が開始される日時を示す録画開始日時、及び、録画する対象の番組の放送が終了される日時を示す録画終了日時が設定され、設定された録画チャンネル情報、録画開始日時情報及び録画終了日時情報が録画対象記憶部１２２に格納される。また、録画開始日時に到達したか否かが判定され、録画開始日時に到達したと判定された場合に、受信部１５を介して録画対象記憶部１２２に格納された録画チャンネル情報に対応するチャンネルのテレビジョン放送が受信され、受信された番組情報が番組情報記憶部１９１に格納される。更に、このＨＤＤレコーダ１に供給される電力が遮断状態から復電したか否かが検出され、復電したと検出された場合に、検出されたタイミングが、録画対象記憶部１２２に格納された録画開始日時以降であって、且つ、録画対象記憶部１２２に格納された録画終了日時以前であるとの録画日時条件を満たすか否かが判定され、録画日時条件を満たすと判定された場合に、受信部１５を介して録画対象記憶部１２２に格納された録画チャンネル情報に対応するチャンネルのテレビジョン放送が受信され、受信された番組情報が番組情報記憶部１９１に格納されるため、復電後に録画を再開することができる。
【００５９】
すなわち、電力が遮断状態から復電したと検出されたタイミングが、録画対象記憶部１２２に格納された録画開始日時以降であって、且つ、録画対象記憶部１２２に格納された録画終了日時以前であるとの録画日時条件を満たすと判定された場合に、受信部１５を介して録画対象記憶部１２２に格納された録画チャンネル情報に対応するチャンネルのテレビジョン放送が受信され、受信された番組情報が番組情報記憶部１９１に格納されるため、復電したタイミングが、録画対象番組の放送期間内である場合に電力の遮断によって中断されていた番組の録画が再開されるので、復電後に録画を再開することができるのである。
【００６０】
また、リモコン３を介してユーザからの操作入力が受け付けられて、受け付けられた操作入力に基づいて、録画日時条件を満たすと判定された場合に録画を実行するか否かの設定が行われ、録画を実行しないと設定された場合に、録画処理の実行が禁止されるため、利便性良好に復電後に録画を再開することができる。
【００６１】
すなわち、リモコン３を介してユーザからの操作入力が受け付けられて、受け付けられた操作入力に基づいて、録画日時条件を満たすと判定された場合に録画を実行するか否かの設定が行われ、録画を実行しないと設定された場合に、録画処理の実行が禁止されるため、ユーザが復電後の録画の再開を所望する場合に限って復電後の録画を再開させることができるので、利便性良好に復電後に録画を再開することができるのである。
【００６２】
更に、リモコン３を介してユーザからの録画を開始する旨の操作入力である録画開始指示操作が受け付けられ、録画開始指示操作が受け付けられた場合に、受け付けられたタイミングに対応する日時が録画開始日時として設定され、受信部１５を介して受信しているチャンネルが録画チャンネルとして設定され、録画開始日時から予め設定された所定時間（例えば、３０分、６０分、９０分・・・）経過後の日時が録画終了日時として設定されるため、録画開始日時、録画チャンネル及び録画終了日時を利便性良好に設定することができる。
【００６３】
加えて、テレビジョン放送がデジタル放送であって、受信部１５を介してＥＰＧ情報が取得され、取得されたＥＰＧ情報を介して、録画チャンネル、録画開始日時及び録画終了日時が設定されるため、録画チャンネル、録画開始日時及び録画終了日時を利便性良好に設定することができる。
【００６４】
なお、本発明は、以下の形態にも適用可能である。
（Ａ）本実施形態では、放送記録装置が、ＨＤＤレコーダ１である場合について説明したが、放送記録装置が、テレビジョン放送を受信し、受信した番組情報を格納する装置であればよい。例えば、放送記録装置が、ＤＶＤレコーダである形態でもよい。
【００６５】
（Ｂ）本実施形態では、放送記録装置が、デジタル放送を受信する場合について説明したが、放送記録装置が、デジタル放送及びアナログ放送の少なくとも一方を受信する形態であればよい。
【００６６】
（Ｃ）本実施形態では、ＭＰＵ１１が、機能的に、録画指示受付部１１１、番組表取得部１１２、録画番組設定部１１３、録画開始判定部１１４、録画実行部１１５、復電検出部１１６、録画要否判定部１１７、録画再開設定部１１８、及び、録画禁止部１１９を備える場合について説明したが、録画指示受付部１１１、番組表取得部１１２、録画番組設定部１１３、録画開始判定部１１４、録画実行部１１５、復電検出部１１６、録画要否判定部１１７、録画再開設定部１１８、及び、録画禁止部１１９の内、少なくとも１の機能部が回路等のハードウェアによって構成されている形態でもよい。
【図面の簡単な説明】
【００６７】
【図１】は、本発明に係るＨＤＤプレイヤの構成の一例を示すブロック図である。
【図２】は、本発明に係るＨＤＤレコーダにおける主要部の構成の一例を示すブロック図である。
【図３】は、ＨＤＤレコーダ（主にＭＰＵ）の動作の一例を示すフローチャートである。
【符号の説明】
【００６８】
１    ＨＤＤレコーダ（放送記録装置）
１１    ＭＰＵ
１１１    録画指示受付部（録画指示受付手段の一部）
１１２    番組表取得部（番組表取得手段）
１１３    録画番組設定部（録画番組設定手段の一部）
１１４    録画開始判定部（録画開始判定手段）
１１５    録画実行部（録画実行手段）
１１６    復電検出部（復電検出手段）
１１７    録画要否判定部（録画要否判定手段）
１１８    録画再開設定部（録画再開設定手段の一部）
１１９    録画禁止部（録画禁止手段）
１２    ＲＡＭ
１２１    番組表記憶部
１２２    録画対象記憶部（録画対象記憶手段）
１９    ＨＤＤ
１９１    番組情報記憶部（番組情報記憶手段）
１５    受信部（受信手段）
２    出力装置
２１    ディスプレイ
３    リモコン（録画指示受付手段の一部、録画番組設定手段の一部、録画再開設定手段の一部）
【図１】
2008311753.tif 000003
【図２】
2008311753.tif 000004
【図３】
2008311753.tif 000005